(57)【要約】  少なくとも１つの物品を保持するカートンは、カートンの内部の周りに少なくとも部分的に延在する複数のパネルを有する。複数のパネルは、トップパネルと、ボトムパネルと、フロントパネルと、バックパネルと、少なくとも１つのサイドパネルとを含む。縦方向に隣接するカートンの一部を収納する窪んだ頂部を形成するように、トップパネルは、フロントパネル、バックパネル、及び少なくとも１つのサイドパネルのそれぞれの一部よりも下の窪んだ所に位置する。【選択図】図１
2021513942.tif 000002
【特許請求の範囲】
【請求項１】
少なくとも１つの物品を保持するカートンであって、該カートンは、
該カートンの内部の周りに少なくとも部分的に延在する複数のパネルを有し、
前記複数のパネルは、トップパネルと、ボトムパネルと、フロントパネルと、バックパネルと、少なくとも１つのサイドパネルとを含み、
前記トップパネルは、縦方向に隣接するカートンの一部を収納する窪んだ頂部を形成するように、前記フロントパネル、前記バックパネル、及び前記少なくとも１つのサイドパネルのそれぞれの一部よりも下の窪んだ所に位置する、カートン。
【請求項２】
前記窪んだ頂部によって画定される頂部開口は、前記ボトムパネルよりも大きい、請求項１に記載のカートン。
【請求項３】
前記少なくとも１つのサイドパネルは、第１のサイドパネルであり、前記複数のパネルは、第２のサイドパネルを更に含む、請求項１に記載のカートン。
【請求項４】
補強フロントパネルが、前記フロントパネルに折り曲げ可能につながっており、第１の補強サイドパネルが、前記第１のサイドパネルに折り曲げ可能につながっており、第２の補強サイドパネルが、前記第２の補強サイドパネルに折り曲げ可能につながっている、請求項３に記載のカートン。
【請求項５】
開口が、前記フロントパネルの一部及び前記補強フロントパネルの一部に形成され、前記トップパネルは、前記開口に係合するタブを有する、請求項４に記載のカートン。
【請求項６】
前記補強フロントパネル、前記第１の補強サイドパネル、及び前記第２の補強サイドパネルのうちの少なくとも１つは、少なくとも１つの係止タブを有し、前記少なくとも１つの係止タブは、前記ボトムパネルにおけるそれぞれのスリットを貫通する、請求項５に記載のカートン。
【請求項７】
前記複数のパネルのそれぞれのパネルに折り曲げ可能につながっている複数の端部フラップを更に有する、請求項３に記載のカートン。
【請求項８】
前記トップパネル及び前記バックパネルに折り曲げ可能につながっているヒンジパネルを更に有する、請求項３に記載のカートン。
【請求項９】
前記少なくとも１つのサイドパネルは、第１のサイドパネルであり、前記複数のパネルは、第２のサイドパネルを更に含み、前記カートンは、少なくとも１つのガセットを有する、請求項１に記載のカートン。
【請求項１０】
前記少なくとも１つのガセットは、第２のガセットパネルに折り曲げ可能につながっている第１のガセットパネルを含む、請求項９に記載のカートン。
【請求項１１】
前記少なくとも１つのガセットは、前記第１のサイドパネル及び前記バックパネルのそれぞれに折り曲げ可能につながっている第１のガセットであり、前記カートンは、前記第１のサイドパネル及び前記フロントパネルのそれぞれに折り曲げ可能につながっている第２のガセットと、前記第２のサイドパネル及び前記フロントパネルのそれぞれに折り曲げ可能につながっている第３のガセットと、前記第２のサイドパネル及び前記バックパネルのそれぞれに折り曲げ可能につながっている第４のガセットとを更に有する、請求項１０に記載のカートン。
【請求項１２】
前記ボトムパネル、前記第１のガセット、前記第１のサイドパネル、前記第２のガセット、前記フロントパネル、前記第３のガセット、前記第２のサイドパネル、前記第４のガセット、及び前記バックパネルは、前記カートンの実質的に耐漏の底部レセプタクルを形成する、請求項１１に記載のカートン。
【請求項１３】
前記カートンに係合する持ち手と組み合わされる、請求項１に記載のカートン。
【請求項１４】
前記持ち手は、前記カートンの少なくとも前記トップパネルの上に延在する、請求項１３に記載の組合せ体。
【請求項１５】
前記持ち手は、持ち手フロントパネルと、持ち手バックパネルと、前記持ち手フロントパネル及び前記持ち手バックパネルのそれぞれに折り曲げ可能につながっている持ち手ボトムパネルとを有する、請求項１４の組合せ体。
【請求項１６】
前記持ち手フロントパネルに折り曲げ可能につながっている持ち手フロントトップパネルと、前記持ち手バックパネルに折り曲げ可能につながっている持ち手バックトップパネルと、前記持ち手フロントトップパネルに折り曲げ可能につながっている持ち手フロントフラップと、前記持ち手バックトップパネルに折り曲げ可能につながっている持ち手バックフラップとを更に有する、請求項１５に記載の組合せ体。
【請求項１７】
前記トップパネルは、タブを有し、前記持ち手フロントパネルは、前記タブを受ける開口を有する、請求項１５に記載の組合せ体。
【請求項１８】
前記持ち手は、持ち手トップパネルと、該持ち手トップパネルにそれぞれ折り曲げ可能につながっている第１の持ち手サイドパネル及び第２の持ち手サイドパネルとを有する、請求項１４に記載の組合せ体。
【請求項１９】
前記持ち手は、前記第１の持ち手サイドパネル及び前記第２の持ち手サイドパネルのうちの少なくとも一方から延在する少なくとも１つの係止機構を有し、該少なくとも１つの係止機構は、前記カートンの前記少なくとも１つのサイドパネルにおけるノッチを通して少なくとも部分的に挿入される、請求項１８に記載の組合せ体。
【請求項２０】
少なくとも１つの物品を保持するカートンを形成するカートンブランクであって、該カートンブランクは、
前記カートンブランクから形成される前記カートンの内部の周りに少なくとも部分的に延在する複数のパネルを有し、
前記複数のパネルは、トップパネルと、ボトムパネルと、フロントパネルと、バックパネルと、少なくとも１つのサイドパネルとを含み、
前記トップパネルは、縦方向に隣接するカートンの一部を収納する、前記カートンブランクから形成される前記カートンの窪んだ頂部を形成するように、前記フロントパネル、前記バックパネル、及び前記少なくとも１つのサイドパネルのそれぞれの一部よりも下に位置する、カートンブランク。
【請求項２１】
前記カートンブランクから形成される前記カートンの前記窪んだ頂部によって画定される頂部開口は、前記ボトムパネルよりも大きい、請求項２０に記載のカートンブランク。
【請求項２２】
前記少なくとも１つのサイドパネルは、第１のサイドパネルであり、前記複数のパネルは、第２のサイドパネルを更に含む、請求項２０に記載のカートンブランク。
【請求項２３】
補強フロントパネルが、前記フロントパネルに折り曲げ可能につながっており、第１の補強サイドパネルが、前記第１のサイドパネルに折り曲げ可能につながっており、第２の補強サイドパネルが、前記第２の補強サイドパネルに折り曲げ可能につながっている、請求項２２に記載のカートンブランク。
【請求項２４】
開口が、前記フロントパネルの一部及び前記補強フロントパネルの一部に形成され、前記トップパネルは、前記カートンブランクから形成される前記カートンにおける前記開口に係合するタブを有する、請求項２３に記載のカートンブランク。
【請求項２５】
前記補強フロントパネル、前記第１の補強サイドパネル、及び前記第２の補強サイドパネルのうちの少なくとも１つは、少なくとも１つの係止タブを有し、前記ボトムパネルは、少なくとも１つのスリットを有し、前記少なくとも１つの係止タブは、前記カートンブランクから形成される前記カートンの前記底部におけるそれぞれのスリットを貫通するようになっている、請求項２４に記載のカートンブランク。
【請求項２６】
前記複数のパネルのそれぞれのパネルに折り曲げ可能につながっている複数の端部フラップを更に有する、請求項２２に記載のカートンブランク。
【請求項２７】
前記トップパネル及び前記バックパネルに折り曲げ可能につながっているヒンジパネルを更に有する、請求項２２に記載のカートンブランク。
【請求項２８】
前記少なくとも１つのサイドパネルは、第１のサイドパネルであり、前記複数のパネルは、第２のサイドパネルを更に含み、前記カートンは、少なくとも１つのガセットを有する、請求項２０に記載のカートンブランク。
【請求項２９】
前記少なくとも１つのガセットは、第２のガセットパネルに折り曲げ可能につながっている第１のガセットパネルを含む、請求項２８に記載のカートンブランク。
【請求項３０】
前記少なくとも１つのガセットは、前記第１のサイドパネル及び前記バックパネルのそれぞれに折り曲げ可能につながっている第１のガセットであり、前記カートンブランクは、前記第１のサイドパネル及び前記フロントパネルのそれぞれに折り曲げ可能につながっている第２のガセットと、前記第２のサイドパネル及び前記フロントパネルのそれぞれに折り曲げ可能につながっている第３のガセットと、前記第２のサイドパネル及び前記バックパネルのそれぞれに折り曲げ可能につながっている第４のガセットとを更に有する、請求項２９に記載のカートンブランク。
【請求項３１】
前記ボトムパネル、前記第１のガセット、前記第１のサイドパネル、前記第２のガセット、前記フロントパネル、前記第３のガセット、前記第２のサイドパネル、前記第４のガセット、及び前記バックパネルは、前記カートンブランクから形成される前記カートンの実質的に耐漏の底部レセプタクルを形成する、請求項３０に記載のカートンブランク。
【請求項３２】
前記カートンブランクから形成される前記カートンに係合する持ち手を形成する持ち手ブランクと組み合わされる、請求項２０に記載のカートンブランク。
【請求項３３】
前記持ち手ブランクは、持ち手フロントパネルと、持ち手バックパネルと、前記持ち手フロントパネル及び前記持ち手バックパネルのそれぞれに折り曲げ可能につながっている持ち手ボトムパネルとを有する、請求項３２の組合せ体。
【請求項３４】
前記持ち手フロントパネルに折り曲げ可能につながっている持ち手フロントトップパネルと、前記持ち手バックパネルに折り曲げ可能につながっている持ち手バックトップパネルと、前記持ち手フロントトップパネルに折り曲げ可能につながっている持ち手フロントフラップと、前記持ち手バックトップパネルに折り曲げ可能につながっている持ち手バックフラップとを更に有する、請求項３３に記載の組合せ体。
【請求項３５】
前記カートンブランクの前記トップパネルは、タブを有し、前記持ち手フロントパネルは、前記カートンブランクから形成される前記カートンにおける前記タブを受ける開口を有する、請求項３３に記載の組合せ体。
【請求項３６】
前記持ち手ブランクは、持ち手トップパネルと、該持ち手トップパネルにそれぞれ折り曲げ可能につながっている第１の持ち手サイドパネル及び第２の持ち手サイドパネルとを有する、請求項３２に記載の組合せ体。
【請求項３７】
前記持ち手ブランクは、前記第１の持ち手サイドパネル及び前記第２の持ち手サイドパネルのうちの少なくとも一方から延在する少なくとも１つの係止機構を有し、該少なくとも１つの係止機構は、前記カートンブランクから形成される前記カートンの前記少なくとも１つのサイドパネルにおけるノッチを通して少なくとも部分的に挿入されるようになっている、請求項３６に記載の組合せ体。
【請求項３８】
少なくとも１つの物品を保持するカートンを形成する方法であって、
トップパネルと、ボトムパネルと、フロントパネルと、バックパネルと、少なくとも１つのサイドパネルとを含む複数のパネルを有するカートンブランクを得ることと、
縦方向に隣接するカートンの一部を収納する窪んだ頂部を形成するように、前記トップパネルが前記フロントパネル、前記バックパネル、及び前記少なくとも１つのサイドパネルのそれぞれの一部よりも下の窪んだ所に位置し、前記複数のパネルを前記カートンの内部の周りに少なくとも部分的に折り曲げることと、
を含む、方法。
【請求項３９】
前記窪んだ頂部によって画定される頂部開口は、前記ボトムパネルよりも大きい、請求項３８に記載の方法。
【請求項４０】
前記少なくとも１つのサイドパネルは、第１のサイドパネルであり、前記複数のパネルは、第２のサイドパネルを更に含む、請求項３８に記載の方法。
【請求項４１】
補強フロントパネルが、前記フロントパネルに折り曲げ可能につながっており、第１の補強サイドパネルが、前記第１のサイドパネルに折り曲げ可能につながっており、第２の補強サイドパネルが、前記第２の補強サイドパネルに折り曲げ可能につながっている、請求項４０に記載の方法。
【請求項４２】
開口が、前記フロントパネルの一部及び前記補強フロントパネルの一部に形成され、前記トップパネルは、前記開口に係合するタブを有する、請求項４１に記載の方法。
【請求項４３】
前記補強フロントパネル、前記第１の補強サイドパネル、及び前記第２の補強サイドパネルのうちの少なくとも１つは、少なくとも１つの係止タブを有し、前記少なくとも１つの係止タブは、前記ボトムパネルにおけるそれぞれのスリットを貫通する、請求項４２に記載の方法。
【請求項４４】
前記複数のパネルのそれぞれのパネルに折り曲げ可能につながっている複数の端部フラップを更に有する、請求項４０に記載の方法。
【請求項４５】
前記トップパネル及び前記バックパネルに折り曲げ可能につながっているヒンジパネルを更に有する、請求項４０に記載の方法。
【請求項４６】
前記少なくとも１つのサイドパネルは、第１のサイドパネルであり、前記複数のパネルは、第２のサイドパネルを更に含み、前記カートンは、少なくとも１つのガセットを有する、請求項３８に記載の方法。
【請求項４７】
前記少なくとも１つのガセットは、第２のガセットパネルに折り曲げ可能につながっている第１のガセットパネルを含む、請求項４６に記載の方法。
【請求項４８】
前記少なくとも１つのガセットは、前記第１のサイドパネル及び前記バックパネルのそれぞれに折り曲げ可能につながっている第１のガセットであり、前記カートンは、前記第１のサイドパネル及び前記フロントパネルのそれぞれに折り曲げ可能につながっている第２のガセットと、前記第２のサイドパネル及び前記フロントパネルのそれぞれに折り曲げ可能につながっている第３のガセットと、前記第２のサイドパネル及び前記バックパネルのそれぞれに折り曲げ可能につながっている第４のガセットとを更に有する、請求項４７に記載の方法。
【請求項４９】
前記ボトムパネル、前記第１のガセット、前記第１のサイドパネル、前記第２のガセット、前記フロントパネル、前記第３のガセット、前記第２のサイドパネル、前記第４のガセット、及び前記バックパネルは、前記カートンの実質的に耐漏の底部レセプタクルを形成する、請求項４８に記載の方法。
【請求項５０】
持ち手を前記カートンに係合させることを更に含む、請求項３８に記載の方法。
【請求項５１】
前記持ち手は、前記カートンの少なくとも前記トップパネルの上に延在する、請求項５０に記載の方法。
【請求項５２】
前記持ち手は、持ち手フロントパネルと、持ち手バックパネルと、前記持ち手フロントパネル及び前記持ち手バックパネルのそれぞれに折り曲げ可能につながっている持ち手ボトムパネルとを有する、請求項５１の方法。
【請求項５３】
前記持ち手フロントパネルに折り曲げ可能につながっている持ち手フロントトップパネルと、前記持ち手バックパネルに折り曲げ可能につながっている持ち手バックトップパネルと、前記持ち手フロントトップパネルに折り曲げ可能につながっている持ち手フロントフラップと、前記持ち手バックトップパネルに折り曲げ可能につながっている持ち手バックフラップとを更に有する、請求項５２に記載の方法。
【請求項５４】
前記カートンの前記トップパネルは、タブを有し、前記持ち手フロントパネルは、前記タブを受ける開口を有する、請求項５２に記載の方法。
【請求項５５】
前記持ち手は、持ち手トップパネルと、該持ち手トップパネルにそれぞれ折り曲げ可能につながっている第１の持ち手サイドパネル及び第２の持ち手サイドパネルとを有する、請求項５１に記載の方法。
【請求項５６】
前記持ち手は、前記第１の持ち手サイドパネル及び前記第２の持ち手サイドパネルのうちの少なくとも一方から延在する少なくとも１つの係止機構を有し、該少なくとも１つの係止機構は、前記カートンの前記少なくとも１つのサイドパネルにおけるノッチを通して少なくとも部分的に挿入される、請求項５５に記載の方法。
【請求項５７】
少なくとも１つの物品を保持するカートンのシステムであって、
第１のカートンであって、該第１のカートンの内部の周りに少なくとも部分的に延在する複数のパネルを有し、該複数のパネルは、トップパネルと、ボトムパネルと、フロントパネルと、バックパネルと、少なくとも１つのサイドパネルとを含み、
前記トップパネルは、前記フロントパネル、前記バックパネル、及び前記少なくとも１つのサイドパネルのそれぞれの一部よりも下の窪んだ位置し、窪んだ頂部を形成する、第１のカートンと、
前記第１のカートンの前記窪んだ頂部に少なくとも部分的に配置される第２のカートンと、
を備える、システム。
【請求項５８】
前記窪んだ頂部によって画定される頂部開口は、前記ボトムパネルよりも大きい、請求項５７に記載のシステム。
【請求項５９】
前記少なくとも１つのサイドパネルは、第１のサイドパネルであり、前記複数のパネルは、第２のサイドパネルを更に含む、請求項５７に記載のシステム。
【請求項６０】
補強フロントパネルが、前記フロントパネルに折り曲げ可能につながっており、第１の補強サイドパネルが、前記第１のサイドパネルに折り曲げ可能につながっており、第２の補強サイドパネルが、前記第２の補強サイドパネルに折り曲げ可能につながっている、請求項５９に記載のシステム。
【請求項６１】
開口が、前記フロントパネルの一部及び前記補強フロントパネルの一部に形成され、前記トップパネルは、前記開口に係合するタブを有する、請求項６０に記載のシステム。
【請求項６２】
前記補強フロントパネル、前記第１の補強サイドパネル、及び前記第２の補強サイドパネルのうちの少なくとも１つは、少なくとも１つの係止タブを有し、前記少なくとも１つの係止タブは、前記ボトムパネルにおけるそれぞれのスリットを貫通する、請求項６１に記載のシステム。
【請求項６３】
前記複数のパネルのそれぞれのパネルに折り曲げ可能につながっている複数の端部フラップを更に有する、請求項５９に記載のシステム。
【請求項６４】
前記トップパネル及び前記バックパネルに折り曲げ可能につながっているヒンジパネルを更に有する、請求項５９に記載のシステム。
【請求項６５】
前記少なくとも１つのサイドパネルは、第１のサイドパネルであり、前記複数のパネルは、第２のサイドパネルを更に含み、前記第１のカートンは、少なくとも１つのガセットを有する、請求項５７に記載のシステム。
【請求項６６】
前記少なくとも１つのガセットは、第２のガセットパネルに折り曲げ可能につながっている第１のガセットパネルを含む、請求項６５に記載のシステム。
【請求項６７】
前記少なくとも１つのガセットは、前記第１のサイドパネル及び前記バックパネルのそれぞれに折り曲げ可能につながっている第１のガセットであり、前記第１のカートンは、前記第１のサイドパネル及び前記フロントパネルのそれぞれに折り曲げ可能につながっている第２のガセットと、前記第２のサイドパネル及び前記フロントパネルのそれぞれに折り曲げ可能につながっている第３のガセットと、前記第２のサイドパネル及び前記バックパネルのそれぞれに折り曲げ可能につながっている第４のガセットとを更に有する、請求項６６に記載のシステム。
【請求項６８】
前記ボトムパネル、前記第１のガセット、前記第１のサイドパネル、前記第２のガセット、前記フロントパネル、前記第３のガセット、前記第２のサイドパネル、前記第４のガセット、及び前記バックパネルは、前記第１のカートンの実質的に耐漏の底部レセプタクルを形成する、請求項６７に記載のシステム。
【請求項６９】
前記第１のカートンに係合する持ち手を更に備える、請求項５７に記載のシステム。
【請求項７０】
前記持ち手は、前記第２のカートンの少なくとも前記トップパネルの上に延在する、請求項６９に記載のシステム。
【請求項７１】
前記持ち手は、持ち手フロントパネルと、持ち手バックパネルと、前記持ち手フロントパネル及び前記持ち手バックパネルのそれぞれに折り曲げ可能につながっている持ち手ボトムパネルとを有する、請求項７０のシステム。
【請求項７２】
前記持ち手フロントパネルに折り曲げ可能につながっている持ち手フロントトップパネルと、前記持ち手バックパネルに折り曲げ可能につながっている持ち手バックトップパネルと、前記持ち手フロントトップパネルに折り曲げ可能につながっている持ち手フロントフラップと、前記持ち手バックトップパネルに折り曲げ可能につながっている持ち手バックフラップとを更に有する、請求項７１に記載のシステム。
【請求項７３】
前記第１のカートンの前記トップパネルは、タブを有し、前記持ち手フロントパネルは、前記タブを受ける開口を有する、請求項７１に記載のシステム。
【請求項７４】
前記持ち手は、持ち手トップパネルと、該持ち手トップパネルにそれぞれ折り曲げ可能につながっている第１の持ち手サイドパネル及び第２の持ち手サイドパネルとを有する、請求項７０に記載のシステム。
【請求項７５】
前記持ち手は、前記第１の持ち手サイドパネル及び前記第２の持ち手サイドパネルのうちの少なくとも一方から延在する少なくとも１つの係止機構を有し、該少なくとも１つの係止機構は、前記第１のカートンの前記少なくとも１つのサイドパネルにおけるノッチを通して少なくとも部分的に挿入される、請求項７４に記載のシステム。
【請求項７６】
前記第２のカートンは、該第２のカートンの内部の周りに少なくとも部分的に延在する複数のパネルを有し、前記第２のカートンの前記複数のパネルは、トップパネルと、ボトムパネルと、フロントパネルと、バックパネルと、少なくとも１つのサイドパネルとを含み、前記第２のカートンの前記トップパネルは、前記第２のカートンの前記フロントパネル、前記バックパネル、及び前記少なくとも１つのサイドパネルのそれぞれの一部よりも下の窪んだ所に位置し、前記第２のカートンの窪んだ頂部を形成する、請求項５７に記載のシステム。
【請求項７７】
前記第２のカートンは、前記第１のカートンと同一である、請求項５７に記載のシステム。
【請求項７８】
前記第２のカートンの窪んだ頂部に少なくとも部分的に配置される第３のカートンを更に備える、請求項７７に記載のシステム。
【請求項７９】
前記第２のカートンは、前記第１のカートンよりも小さい、請求項５７に記載のシステム。
【請求項８０】
前記第１のカートンの前記窪んだ頂部に少なくとも部分的に配置される第３のカートンを更に備える、請求項７９に記載のシステム。
【発明の詳細な説明】
【技術分野】
【０００１】
［関連出願の相互参照］
本願は、２０１８年２月２１日付けで出願された米国仮特許出願第６２／６３３，１５７号明細書及び２０１８年３月１６日付けで出願された米国仮特許出願第６２／６４３，９１１号明細書の各々の利益を主張する。
【０００２】
［参照による援用］
２０１８年２月２１日付けで出願された米国仮特許出願第６２／６３３，１５７号明細書及び２０１８年３月１６日付けで出願された米国仮特許出願第６２／６４３，９１１号明細書の各々の開示は、その全体が本開示に提示されているかのように全ての目的で引用することにより本明細書の一部をなす。
【０００３】
本開示は、積重ね可能なカートン、積重ね可能なカートンのシステム、積重ね可能なカートンを形成するブランク、及び積重ね可能なカートンに関連する方法に関する。１つの実施形態において、本開示は、持ち手によって係合可能な複数の積重ね式カートンを備えるシステムに関する。
【発明の概要】
【０００４】
本開示の１つの態様によれば、少なくとも１つの物品を保持するカートンは、該カートンの内部の周りに少なくとも部分的に延在する複数のパネルを有し、前記複数のパネルは、トップパネルと、ボトムパネルと、フロントパネルと、バックパネルと、少なくとも１つのサイドパネルとを含む。該トップパネルは、前記フロントパネル、前記バックパネル、及び前記少なくとも１つのサイドパネルのそれぞれの一部よりも下の窪んだ所に位置し、縦方向に隣接するカートンの一部を収納する窪んだ頂部を形成する。
【０００５】
本開示の別の態様によれば、少なくとも１つの物品を保持するカートンを形成するカートンブランクは、前記カートンブランクから形成される前記カートンの内部の周りに少なくとも部分的に延在する複数のパネルを有し、前記複数のパネルは、トップパネルと、ボトムパネルと、フロントパネルと、バックパネルと、少なくとも１つのサイドパネルとを含む。該トップパネルは、前記フロントパネル、前記バックパネル、及び前記少なくとも１つのサイドパネルのそれぞれの一部よりも下に位置することができ、縦方向に隣接するカートンの一部を収納する、前記カートンブランクから形成される前記カートンの窪んだ頂部を形成する。
【０００６】
本開示の別の態様によれば、少なくとも１つの物品を保持するカートンを形成する方法は、トップパネルと、ボトムパネルと、フロントパネルと、バックパネルと、少なくとも１つのサイドパネルとを含む複数のパネルを有するカートンブランクを得ることを含む。該方法は、前記複数のパネルを、前記トップパネルが前記フロントパネル、前記バックパネル、及び前記少なくとも１つのサイドパネルのそれぞれの一部よりも下の窪んだ所に位置し、縦方向に隣接するカートンの一部を収納する窪んだ頂部を形成するように、前記カートンの内部の周りに少なくとも部分的に折り曲げることを更に含む。
【０００７】
本開示の別の態様によれば、少なくとも１つの物品を保持するカートンのシステムは、第１のカートンを備え、第１のカートンは、該第１のカートンの内部の周りに少なくとも部分的に延在する複数のパネルを有し、該複数のパネルは、トップパネルと、ボトムパネルと、フロントパネルと、バックパネルと、少なくとも１つのサイドパネルとを含む。該トップパネルは、前記フロントパネル、前記バックパネル、及び前記少なくとも１つのサイドパネルのそれぞれの一部よりも下の窪んだ所に位置し、窪んだ頂部を形成する。該システムは、前記第１のカートンの前記窪んだ頂部に少なくとも部分的に配置される第２のカートンを更に備える。
【０００８】
慣例によれば、以下で説明する図面の種々の特徴は、必ずしも一定の縮尺比で描かれているとは限らない。図面における種々の特徴及び要素の寸法は、本開示の実施形態をより明確に示すために拡大又は縮小されている場合がある。
【図面の簡単な説明】
【０００９】
【図１】本開示の第１の例示的な実施形態に係るカートンを形成するブランクの外面の平面図である。
【図２】本開示の第１の例示的な実施形態に係る持ち手を形成するブランクの外面の平面図である。
【図３】本開示の第１の例示的な実施形態に係る、図１のブランクから形成される部分的に形成されたカートンの斜視図である。
【図４】本開示の第１の例示的な実施形態に係る、図１のブランクから形成された閉鎖形態におけるカートンの斜視図である。
【図４Ａ】本開示の第１の例示的な実施形態に係る、図１のブランクからそれぞれ形成された積重ね式カートンのシステムの斜視図である。
【図５】本開示の第１の例示的な実施形態に係る、図２のブランクから形成された持ち手によって係合される、図４Ａのシステムの斜視図である。
【図６】本開示の第１の例示的な実施形態に係る、図２のブランクから形成された持ち手によって係合される、図５のシステムの斜視図である。
【図７】本開示の第２の例示的な実施形態に係るカートンを形成するブランクの外面の平面図である。
【図８】本開示の第２の例示的な実施形態に係る別のカートンを形成するブランクの外面の平面図である。
【図９】本開示の第２の例示的な実施形態に係る持ち手を形成するブランクの外面の平面図である。
【図１０】本開示の第２の例示的な実施形態に係る、図７及び図８のブランクから形成された積重ね式カートンのシステムの斜視図である。
【図１１】本開示の第２の例示的な実施形態に係る、図９のブランクから形成された持ち手によって係合される図１０のシステムの斜視図である。
【図１２】本開示の第３の例示的な実施形態に係るカートンを形成するブランクの外面の斜視図である。
【図１３】本開示の第３の例示的な実施形態に係る図１２のブランクから形成される部分的に形成されたカートンの斜視図である。
【図１４】本開示の第３の例示的な実施形態に係る、図１２のブランクから形成された開放形態におけるカートンの斜視図である。
【図１５】本開示の第３の例示的な実施形態に係る、図１２のブランクから形成された閉鎖形態におけるカートンの斜視図である。
【図１６】本開示の第３の例示的な実施形態に係る、図１２のブランクから形成された積重ね式カートンのシステムの斜視図である。
【発明を実施するための形態】
【００１０】
対応する部分は、図面を通して対応する参照符号によって示される。
【００１１】
本開示に係るカートンは、数多くの異なる形状の物品を収容することができる。本開示の範囲を限定するためでなく、例示の目的で、以下の詳細な記載では、カートンの実施形態内に少なくとも部分的に配置される食品、製品パッケージ、容器、ボトル、缶等の物品を記載する。物品は、例えば、食品及び飲料製品を包装するのに用いることができる。物品は、特定の食品又は飲料製品を包装するのに適した材料から作ることができ、その材料は、ガラス、アルミニウム及び／又は他の金属、ＰＥＴ、ＬＤＰＥ、ＬＬＤＰＥ、ＨＤＰＥ、ＰＰ、ＰＳ、ＰＶＣ、ＥＶＯＨ、及びナイロン等のようなプラスチック、複合材料又はそれらの任意の組み合わせを含むが、これらに限定はされない。
【００１２】
本開示に係るカートンは、任意の形状の物品を収容することができる。本開示の範囲を限定することを目的とせず、説明することを目的として、以下の詳細な説明では、カートンの実施形態の中に配置される飲料用容器（例えば、飲料用アルミニウム缶、ガラス瓶、ポリマー製又は板紙製カップ等）、食品（例えば、スープ、サラダ、サンドイッチ等）、又は製品パッケージ（例えば、パウチ、スリーブ、カップ等）について説明する。本明細書において、「下側」、「底部」、「上側」、及び「頂部」という用語は、完全に組み立てられて直立したカートンに関して決定される向きを示す。本明細書に記載されるように、カートンは、複数のパネル、部分、及び／又は端部フラップを重ね合わせることによって、ブランクから形成することができる。このようなパネル、部分、及び／又は端部フラップは、本明細書において、本開示から逸脱することなく、互いに関して、例えば「第１の」、「第２の」、「第３の」等と順序的に又は非順序的に言及して示すことができる。
【００１３】
図１は、本開示の第１の例示的な実施形態に係るカートン５（図４）を形成するために得ることができるカートンブランク３の外面１の平面図である。カートン５は、内部に収容される少なくとも１つの物品、例えば、食品又は飲料品又は関連するパッケージを保持する内部７（図３）の周りに少なくとも部分的に延在するように設けられ、図４に示されているように、別の縦方向に積み重ねられるカートン５の一部を収納して、複数の積重ね式カートン５のシステム１３（図４Ａ及び図５）を形成する窪んだ頂部９が設けられたカートン５を提供することができる。図２を更に参照すると、システム１３の複数の積重ね式カートン５の少なくともトップパネル４３を越えて延在する持ち手１１を形成するブランク１０３が提供される。１つの実施形態において、持ち手１１は、積重ね式カートン５のシステム１３を保持するために、積重ね式カートン５のシステム１３の周りに延在する。１つの実施形態において、積重ね式カートン５のシステム１３は、持ち手１１を伴わずに積み重ね、保持することができる。代替的に、積重ね式カートン５及び持ち手１１は、ともに積重ね式カートン５のシステム１３を形成することができる。別の実施形態において、積重ね式カートン５のシステムは、異なる構造体、例えば、袋、ライナー、又は他の包装材によって係合及び／又は保持することができる。
【００１４】
図１をなおも参照すると、ブランク３は、図示のように、縦軸Ｌ１及び横軸Ｌ２を有する。図示のブランク３は、それぞれの折り線３５、３７、３９、４１において、それぞれのフロントパネル２７、バックパネル２９、第１のサイドパネル３１、及び第２のサイドパネル３３に折り曲げ可能につながっているボトムパネル２５を有する。ここで、折り線３５、３７は、横折り線であり、折り線３９、４１は、縦折り線である。トップパネル４３は、図示のように、トップパネル４３のそれぞれの上縁部４８を形成する２つの曲線切れ目４７間に延在する横折り線４５において、バックパネル２９に折り曲げ可能につながっている。図示のように、補強フロントパネル４９は、フロントパネル２７の一部から補強フロントパネル４９の一部に延在する、ブランク３における不連続部である開口５３によって中断された横折り線５１において、フロントパネル２７に折り曲げ可能につながっている。図示のように、第１の補強サイドパネル５５は、縦折り線５７において第１のサイドパネル３１に折り曲げ可能につながっており、第２の補強サイドパネル５９は、縦折り線６１において第２のサイドパネル３３に折り曲げ可能につながっている。
【００１５】
１つの実施形態において、図示のブランク３は、斜め折り線６５においてフロントパネル２７に折り曲げ可能につながっている第１のフロント端部フラップ６３と、斜め折り線６９においてフロントパネル２７に折り曲げ可能につながっている第２のフロント端部フラップ６７とを有する。それぞれの端部フラップ６３、６７は、それぞれの切れ目６６、６８によって、それぞれ隣接するサイドパネル３１、３３から分離される。同様に、第１のバック端部フラップ７１は、斜め折り線７３においてバックパネル２９に折り曲げ可能につながっており、第２のバック端部フラップ７５は、斜め折り線７７においてバックパネル２９に折り曲げ可能につながっている。それぞれの端部フラップ７１、７５は、それぞれの切れ目７６、７８によって、それぞれ隣接するサイドパネル３１、３３から分離される。図示のように、第１のトップ端部フラップ７９は、縦折り線８１においてトップパネル４３に折り曲げ可能につながっており、第２のトップ端部フラップ８３は、縦折り線８５においてトップパネル４３に折り曲げ可能につながっている。斜め折り線６５、６９、７３、７７は、本開示から逸脱することなく、縦折り線としてもよい。
【００１６】
図１を引き続き参照すると、ブランク３は、カートン５（図４）への形成を容易にするためのいくつかの特徴を有する。図示のように、補強フロントパネル４９、第１の補強サイドパネル５５のそれぞれの自由縁部、及び第２の補強サイドパネル５９のそれぞれは、一対の係止タブ又は係止突出部８７を画定し、一対の係止タブ又は係止突出部８７は、ボトムパネル２５内に延在し、それぞれの折り線３５、３９、及び４１のそれぞれの部分を中断する対応する切れ目又はスリット８９に、少なくとも部分的に挿入されるように構成される。また図示のように、トップパネルは、トップパネル４３の自由縁部に沿って突出するタブ９１を有する。
【００１７】
図１及び図３を参照すると、パネル４９、２７、２５、３１、３３、５５、５９、２９、４３は、カートン５の内部７の周りに折り曲げることができる。１つの実施形態において、フロントパネル２７は、折り線３５において、ボトムパネル２５に対して概ね直立位置に折り曲げられ、補強フロントパネル４９は、折り線５１において、フロントパネル２７の内面と少なくとも部分的に対面接触するように下方に折り曲げられ、補強フロントパネル４９の突出部８７が、折り線３５に沿ったスリット８９に少なくとも部分的に挿入されるように位置するようにする。バックパネル２９は、折り線３７において、ボトムパネル２５に対して概ね直立位置に折り曲げることができ、それぞれの第１のサイドパネル３１及び第２のサイドパネル３３は、それぞれの折り線３９、４１において、ボトムパネル２５に対して概ね直立位置に折り曲げることができる。それぞれの端部フラップ６３、６７は、それぞれの折り線６５、６９において、それぞれのサイドパネル３１、３３の内面と少なくとも部分的に対面接触するように折り曲げることができ、それぞれの端部フラップ７１、７５は、それぞれの折り線７３、７７において、それぞれのサイドパネル３１、３３の内面と少なくとも部分的に対面接触するように折り曲げることができる。端部フラップ６３、７１及び端部フラップ６７、７５の１つ以上は、糊等の接着剤を用いてそれぞれのサイドパネル３１、３３に接着することができる。第１の補強サイドパネル５５は、折り線５７において、端部フラップ６３、７１及び第１のサイドパネル３１の内面と少なくとも部分的に対面接触するように下方に折り曲げることができ、第１の補強サイドパネル５５の突出部８７が、折り線３９に沿ったスリット８９に少なくとも部分的に挿入されるように位置するようにする。同様に、第２の補強サイドパネル５９は、折り線６１において、端部フラップ６７、７５及び第２のサイドパネル３３の内面と少なくとも部分的に対面接触するように下方に折り曲げることができ、第２の補強サイドパネル５９の突出部８７が、折り線４１に沿ったスリット８９に少なくとも部分的に挿入されるように位置するようにする。カートン５は、本開示から逸脱することなく、異なる順序又は構成で組み立てることができる。
【００１８】
これに関して、図４を更に参照すると、カートン５は、トップパネル４３がバックパネル２９にヒンジ式に取り付けられ、トップパネル４３がカートン５の内部７を閉鎖する閉鎖位置と、トップパネル４３が内部７へのアクセスをもたらすように上昇する開放位置との間で位置決め可能である開閉可能形態で提供される。カートン５の図示の閉鎖形態では、トップパネル４３は、端部フラップ７９、８３がそれぞれの補強パネル５５、５９に隣接してカートン５の内部７に差し込まれた状態で、折り線４５において下方に折り曲げることができる。図示のように、トップパネル４３は、タブ９１が補強フロントパネル４９及びフロントパネル２７の一部に載って、開口５３によって形成されたノッチに係合又は貫通する状態で配置される。これに関して、タブ９１は、使用者がカートン５を開放及び再度閉鎖するために係合する突出面を呈する。図示の実施形態では、トップパネル４３は、補強フロントパネル４９及びフロントパネル２７、第１の補強サイドパネル５５及び第１のサイドパネル３１、第２の補強サイドパネル５９及び第２のサイドパネル３３、並びにバックパネル２９の上縁部４８の直立上部に隣接して、概ね平坦な関係で延在し、それらの直立上部の全てが、トップパネル４３を越えて上方に延在し、トップパネル４３がその下の窪んだ所に位置し、カートン５の窪んだ頂部９を形成するようになっている。
【００１９】
図示の実施形態では、フロントパネル２７、バックパネル２９、第１のサイドパネル３１、及び第２のサイドパネル３３は、カートン５のボトムパネル２５に対して僅かに斜めに（すなわち、垂直でない）、ボトムパネル２５から外方に角度を付けて配置されたそれぞれの自由縁部を有する。ブランク３から形成されるカートン５において、フロントパネル２７、バックパネル２９、第１のサイドパネル３１、及び第２のサイドパネル３３は、それぞれのパネル２７、２９、３１、３３をボトムパネル２５につなぐそれぞれの折り線３５、３７、３９、４１によって画定されたそれぞれの底縁部をそれぞれ有する。
【００２０】
ブランク３から形成されるカートン５において、フロントパネル２７は、折り線５１によって画定される頂縁部を有し、バックパネル４９は、折り線４５及び切れ目４７によって画定される頂縁部を有する。頂縁部はそれぞれ横方向長さＤ１を有する。フロントパネル２７及びバックパネル４９は、それぞれの折り線３５、３７によって画定されるそれぞれの底縁部を有する。底縁部はそれぞれ横方向長さＤ２を有する。更に、第１のサイドパネル３１及び第２のサイドパネル３３は、それぞれの折り線５７、６１によって画定されるそれぞれの頂縁部をそれぞれ有する。頂縁部はそれぞれ縦方向長さＤ３を有する。サイドパネル３１、３３は、それぞれの折り線３９、４１によって画定されるそれぞれの底縁部を有する。底縁部はそれぞれ縦方向長さＤ４を有する。１つの実施形態において、フロントパネル２７、バックパネル２９、第１のサイドパネル３１、及び第２のサイドパネル３３のそれぞれは、それぞれの底縁部のそれぞれの長さＤ２、Ｄ４よりも大きいそれぞれの長さＤ１、Ｄ３を有するそれぞれの頂縁部を有し、フロントパネル２７、バックパネル２９、第１のサイドパネル３１、及び第２のサイドパネル３３の頂縁部によって形成される窪んだ頂部９の上方の開口の寸法は、ボトムパネル２５の寸法よりも大きくなっている。
【００２１】
これに関して、フロントパネル２７、バックパネル２９、第１のサイドパネル３１、及び第２のサイドパネル３３の配置は、トップパネル４３がそれぞれの頂縁部によって画定される頂部開口内に嵌まることができるように、フロントパネル２７、バックパネル２９、第１のサイドパネル３１、及び第２のサイドパネル３３のそれぞれの頂縁部が位置するように、ボトムパネル２５に対して外方にテーパー又は角度が付けられている。フロントパネル２７、バックパネル２９、第１のサイドパネル３１、及び第２のサイドパネル３３のそのような角度位置と、フロントパネル２７、バックパネル２９、第１のサイドパネル３１、及び第２のサイドパネル３３の頂縁部によって形成されるより幅広の開口とによって、トップパネル４３が幅広の頂部開口内に収まり、フロントパネル２７、バックパネル２９、第１のサイドパネル３１、及び第２のサイドパネル３３のそれぞれの頂縁部よりも下に位置し、カートン５を閉鎖し、カートン５の窪んだ頂部９を形成することができる。更に、折り線６５、６９、７３、７７の斜め構成によって、ボトムパネル２５に対するそれぞれの斜角におけるフロントパネル２７、バックパネル２９、第１のサイドパネル３１、及び第２のサイドパネル３３の位置決めも容易になり、本明細書において更に記載するように、カートン５が入れ子及び／又は積重ねを容易にするテーパー構成を有するようになっている。フロントパネル２７、バックパネル２９、第１のサイドパネル３１、及び第２のサイドパネル３３は、本開示の範囲から逸脱することなく、別様な配置にすることができる（例えば、図示されているよりも大きく又は小さくテーパー又は角度が付けられる）。
【００２２】
図４Ａ及び図５を更に参照すると、一連の積重ね式カートン５が示されており、ここでは、一番上のカートン５よりも下の各カートン５は、縦方向に隣接するカートン５の一部がそれぞれの窪んだ頂部９内に収まり、支持されるように配置されている。１つの実施形態において、一番下のカートン５を第１のカートンとすることができ、縦方向に隣接するカートン５を、第２のカートン、第３のカートン、以下同とみなすことができる。各カートン５のトップパネル４３によってもたらされる支持に加えて、各カートン５の窪んだトップパネル４３を越えて延在する、補強フロントパネル４９及びフロントパネル２７、第１の補強サイドパネル５５及び第１のサイドパネル３１、第２の補強サイドパネル５９及び第２のサイドパネル３３、並びにバックパネル２９の上縁部４８の上部は、例えば、それぞれの縦方向に隣接するカートン５の下部、例えば底角部及び底縁部に係合し、その摺動を阻止することによって、前後左右の安定性をもたらす。これに関して、積重ね式カートン５のシステム１３が提供され、ここでは、カートン５は、それぞれのカートン５の底部がそれぞれのカートン５のそれぞれの窪んだ頂部９に係合することによって相互係止又は安定する。カートン５の開放形態において、例えば、トップパネル４３がカートン５の他の部分に対して上昇している場合、縦方向に隣接するカートン５は、下にあるカートン５の内部７内に入れ子にすることができ、例えば、カートン５のスペースを低減し及び／又は積載を容易にすることが理解されよう。３つの積重ね式カートン５のシステム１３が示されているが、本開示から逸脱することなく、３つよりも多いカートン５又は３つよりも少ないカートン５を積み重ねることができる。図４Ａ及び図５の第１の実施形態では、積重ね式カートン５のシステム１３は、一番下のカートンである第１のカートンと、第１のカートンの上に積み重ねられた第２のカートンと、第２のカートンの上に積み重ねられた第３のカートンとの積重ね形態で示されている３つのカートン５を備える。更に、図４Ａ及び図５の実施形態において、積重ね式システム１３の全てのカートン５は、同一のサイズ、形状、及び構成である。他の実施形態において、本開示から逸脱することなく、カートン５のシステム１３は、３つよりも多い又は３つよりも少ないカートン５を備えることができ、及び／又は、積重ね式カートンの１つ以上は、異なるサイズ、形状、及び／又は構成とすることができる。
【００２３】
図２及び図５を参照すると、積重ね式カートン５のシステム１３の持ち手１１（図６）を形成する持ち手ブランク１０３の外面１０１が示されている。図示のように、ブランク１０３は、それぞれの横折り線１３１、１３３において、それぞれの持ち手フロントパネル１２７及び持ち手バックパネル１２９に折り曲げ可能につながっているボトムパネル１２５を有する。図示のブランク１０３の持ち手フロントパネル１２７は、それぞれの積重ね式カートン５の１つ以上のタブ９１を受ける開口１３５を画定する。図示のように、ブランク１０３の持ち手フロントパネル１２７は、開口１３５内に延在するとともに、積重ね式カートン５の最下のカートン５のタブ９１に係合する縁部１３９を有する係合機構１３７も有する。ブランク１０３は、また図示のように、それぞれの横折り線１４５、１４７において、それぞれの持ち手フロントパネル１２７及び持ち手バックパネル１２９に折り曲げ可能につながっているそれぞれの持ち手フロントトップパネル１４１及び持ち手バックトップパネル１４３を有し、折り線１４５は、開口１３５によって中断されている。持ち手フロントフラップ１４８は、横折り線１４９において持ち手フロントトップパネル１４１に折り曲げ可能につながっており、折り線１４９を中断させ、弧状及び／又は斜め折り線１５５に交わる横方向切れ目１５３によって画定される持ち手補強フラップ１５１を有する。図示のように、持ち手補強フラップ１５１は、一対の切欠き部１５０に隣接して位置することができる。同様に、持ち手バックフラップ１５７は、横折り線１５９において持ち手バックトップパネル１４３に折り曲げ可能につながっており、持ち手開口１６１を有する。
【００２４】
図２、図５、及び図６を参照すると、持ち手ブランク１０３は、積重ね式カートン５の周りに折り曲げて、積重ね式カートン５のシステム１３を保持する持ち手１１を提供することができる。１つの実施形態において、持ち手ボトムパネル１２５は、一番下のカートン５（広義に、「第１のカートン」）のボトムパネル２５の下に位置し、ボトムパネル２５と対面接触することができ、この場合、持ち手フロントパネル１２７は、折り線１３１において上方に折り曲げられ、持ち手１１の持ち手ボトムパネル１２５に対して概ね直立した垂直関係になり、持ち手バックパネル１２９は、折り線１３３において上方に折り曲げられ、持ち手１１の持ち手ボトムパネル１２５に対して概ね直立した垂直関係になる。持ち手フロントトップパネル１４１は、図示のように、折り線１４５において折り曲げられて、持ち手フロントパネル１２７に対して概ね斜めの関係にすることができ、持ち手バックトップパネル１４３は、折り線１４７において折り曲げられて、持ち手バックパネル１２９に対して概ね斜めの関係にすることができる。そのような構成において、持ち手トップフラップ１４８、１５７は、例えば、それぞれの折り線１４９、１５９において折り曲げることによって、少なくとも部分的に対面接触させることができ、持ち手補強フラップ１５１は、引き裂き線１５３において持ち手フラップ１４７から少なくとも部分的に分離し、持ち手開口１６１と整合する開口を形成し、それにより、持ち手フラップ１４８、１５７は、例えば、使用者が指で把持することができる持ち手機構１５をともに提供する。
【００２５】
また図示のように、持ち手１１の持ち手フロントパネル１２７の開口１３５は、積重ね式カートン５のタブ９１と位置合わせされ、タブ９１は、開口１３５を貫通するようになっている。また図示のように、持ち手１１の係合機構１３７の縁部１３９は、最下のカートン５のタブ９１に接触するように位置する。これに関して、係合機構１３７は、積重ね式カートン５に安定性を与え、その配置を維持することができる。例えば、係合機構１３７は、積重ね式カートン５がその周りの持ち手１１の周方向の係合によってともに付勢されるように、張力を受けて、最下のカートン５のタブ９１に係合することができる。
【００２６】
図７及び図８を参照すると、本開示の第２の例示的な実施形態に係るそれぞれのカートン４０５及び５０５（図１０）を形成するそれぞれのカートンブランク４０３及びカートンブランク５０３が示されており、図９は、本開示の第２の例示的な実施形態に係る持ち手４１３（図１１）を形成する持ち手ブランク６０３を示している。ブランク４０３、ブランク５０３、及びブランク６０３は、本開示の第１の例示的な実施形態のそれぞれのカートンブランク１（図１）及び持ち手ブランク１０３（図２）と同様の１つ以上の特徴を有し、同様の又は類似の要素は、同様の又は類似の参照符号によって示される。これに関して、ブランク４０３のフロントパネル２７及びバックパネル２９は、そのそれぞれの底縁部の横方向長さＤ６よりも大きい横方向長さＤ５を有するそれぞれの頂縁部を有し、ブランク４０３のサイドパネル３１、３３は、そのそれぞれの底縁部の縦方向長さＤ８よりも大きい縦方向長さＤ７を有するそれぞれの頂縁部を有する。同様に、ブランク５０３のフロントパネル２７及びバックパネル２９は、そのそれぞれの底縁部の横方向長さＤ１０よりも大きい横方向長さＤ９をそれぞれ有するそれぞれの頂縁部を有し、ブランク５０３のサイドパネル３１、３３は、そのそれぞれの底縁部の縦方向長さＤ１２よりも大きい縦方向長さＤ１１を有するそれぞれの頂縁部を有する。
【００２７】
図示のように、ブランク５０３は、第１のサイドパネル３１及び第２のサイドパネル３３のそれぞれにおける弱化線によって形成されるノッチ５０４を有し、ブランク５０３は、第１の補強サイドパネル５５及び第２の補強サイドパネル５９のそれぞれにおける孔５０６を有し、孔５０６は、各孔５０６がそれぞれのノッチ５０４に隣接する隙間を提供するようにカートン５０５が形成される場合に、それぞれのノッチ５０４と位置合わせされる。
【００２８】
図９に示されているように、ブランク６０３は、それぞれの縦折り線６３１、６３３においてそれぞれの第１の持ち手サイドパネル６２７及び第２の持ち手サイドパネル６２９に折り曲げ可能につながっている持ち手トップパネル６２５を有する。図示のように、係止機構６３５は、第１の持ち手サイドパネル６２７から延在し、それぞれの斜め折り線６４３、６４５において、タブ６３７に折り曲げ可能につながっているタブ６３７及びそれぞれの第１のフラップ６３９及び第２のフラップ６４１を有する。同様に、係止機構６４７は、第２の持ち手サイドパネル６２９から延在し、タブ６４９と、それぞれの斜め折り線６５５、６５７において、タブ６４９に折り曲げ可能につながっているそれぞれの第１のフラップ６５１及び第２のフラップ６５３とを有する。一対の補強フラップ６５９、６６１は、図示のように、使用者が把持することを容易にするように、それぞれの折り線６６３、６６５において持ち手トップパネル６２５に折り曲げ可能につながっていることができる。
【００２９】
図１０を更に参照すると、ブランク５０３から形成されたカートン５０５が、それぞれのブランク４０３から形成された一対のカートン４０５が上に積み重ねられた状態で示されている。これに関して、カートン５０５は、横並び構成で配置される又は積み上げられる複数のカートン４０５を収容することができる窪んだ頂部９を有する構成及び寸法にされる。したがって、カートン４０５のそれぞれの前後の底縁部の長さＤ６は、カートン５０５の前方頂縁部の長さＤ９よりも小さく、図示の実施形態では、２×Ｄ６＜Ｄ９となっている。同様に、カートン４０５のそれぞれの側方底縁部の長さＤ８は、カートン５０５の側方頂縁部の長さＤ１１よりも小さく、図示の実施形態では、Ｄ８＜Ｄ１１となっている（図７及び図８）。
【００３０】
これに関して、カートン５０５が、最下のカートン５０５（広義に、「第１のカートン」）の上に複数のより小さいカートン４０５（広義に、それぞれ「第２のカートン」、「第３のカートン」、以下同）が横並び構成で積み重ねられ、先行の実施形態に関して上述したように位置的に安定して維持されるように配置される、システム４１３を提供することができる。したがって、カートン４０５の一部の互いに対する係合、また、補強フロントパネル４９及びフロントパネル２７、第１の補強サイドパネル５５及び第１のサイドパネル３１、第２の補強サイドパネル５９及び第２のサイドパネル３３、並びにバックパネル２９の上縁部４８の上部との係合により、その摺動が阻止される。システム４１３は、最下のカートン５０５及びカートン５０５の上に横並び構成で積み重ねられた一対のカートン４０５を有して示されているが、本開示から逸脱することなく、カートン５０５の上に３つ以上のカートン４０５を横並び構成で積み重ねることができ、及び／又はカートン４０５の上に更なるカートン４０５を積み重ねることができることが理解されよう。他の実施形態において、カートンの異なる配置により、システム４１３、例えば、複数の積重ね式カートン４０５又は複数の積重ね式カートン５０５を提供することができる。図１０及び図１１の第２の実施形態では、積重ね式カートンのシステム４１３は、一番下の／より大きいカートンである第１のカートン５０５と、それぞれ、第１のカートン５０５の上に積み重ねられた、第１のカートンよりも小さい第２のカートン４０５及び第３のカートン４０５との積重ね形態で示されている３つのカートン４０５、５０５を備える。更に、図１０及び図１１の実施形態では、積重ね式システム４１３の２つの上側カートン４０５は、同一のサイズ、形状、及び構成である。他の実施形態において、カートン４０５、５０５のシステム４１３は、本開示から逸脱することなく、２つよりも多い又は２つよりも少ない上側カートン４０５を備えることができ、及び／又は、上側カートンの１つ以上は、異なるサイズ、形状、及び／又は構成とすることができる。
【００３１】
図１１を更に参照すると、ブランク６０３は、積重ね式カートン５０５、４０５の周りに少なくとも部分的に折り曲げて、システム４１３の持ち手４１１を提供することができる。１つの実施形態において、持ち手トップパネル６２５は、カートン４０５の上に配置することができ、第１の持ち手サイドパネル６２７及び第２の持ち手サイドパネル６２９は、それぞれの折り線６３１、６３３において下方に折り曲げて、持ち手トップパネル６２５に対して概ね垂直の関係にすることができる。そのような構成において、係止機構６３５、６４７は、カートン５０５のそれぞれの第１のサイドパネル５３１及び第２のサイドパネル５３３のそれぞれのノッチ５０４に隣接して位置することができ、係止機構６３５、６４７は、それぞれのノッチ５０４に少なくとも部分的に挿入して、持ち手４１１を積重ね式カートン５０５、４０５に係止することができるようになっている。これに関して、持ち手４１１は、積重ね式カートン５０５、４０５のシステム４１３に安定性を与え、その配置を維持することができる。例えば、係止機構６３５、６４７は、積重ね式カートン５０５、４０５がともに付勢されて押し付けられるように、張力を受けて、それぞれのノッチ５０４に係合することができる。
【００３２】
図１２を参照すると、本開示の第３の例示的な実施形態に係るカートン７０５（図１３〜図１５）を形成するために得ることができるカートンブランク７０３の外面７０１の平面図が示されている。カートン７０５は、内部に収容された少なくとも１つの物品を保持する内部７０７を有し、縦方向に積み重ねられたカートン７０５の底部を収納し、本明細書に記載のシステム１３、４１３（図４Ａ、図５、図１０、及び図１１）と同様の、複数の積重ね式カートン７０５のシステム７１３（図１６）を形成するように構成された窪んだ頂部７０９が設けられる。１つの実施形態において、積重ね式カートン７０５のシステム７１３は、持ち手、例えば、本明細書に記載の持ち手１１（図６）又は持ち手４１１（図１１）によってともに係合することができる。別の実施形態において、積重ね式カートン７０５のシステム７１３は、本開示の範囲から逸脱することなく、異なる構造、例えば、袋、ライナー、他の包装材、又は代替的な持ち手によって係合及び／又は保持することができる。
【００３３】
また本明細書に記載されるように、カートン７０５は、底部レセプタクル７１１を有する構成であり、底部レセプタクル７１１は、底部レセプタクル７１１内に流体を維持し、流体が底部レセプタクル７１１から周囲環境に通過することを阻止、最小化、及び／又は防止し、カートン７０５の実質的に防漏又は耐漏の構成をもたらすことができる構成を有する。これに関して、カートン７０５は、内部７０７の流体が移送中にカートン７０５から容易に漏れ出すことを防ぐ安全な様式で、例えば、飲料、スープ、調味料、ドレッシング等の流体を収容する物品を保管及び／又は移送するのに用いることができる。
【００３４】
ブランク７０３は、図示のように、縦軸Ｌ１及び横軸Ｌ２を有し、それぞれの折り線７３５、７３７、７３９、７４１においてそれぞれのフロントパネル７２７、バックパネル７２９、第１のサイドパネル７３１、及び第２のサイドパネル７３３に折り曲げ可能につながっているボトムパネル７２５を有する。ここで、折り線７３５、７３７は、横折り線であり、折り線７３９、７４１は、縦折り線である。図示のブランク７０３は、バックパネル７２９及び第１のサイドパネル７３１のそれぞれに折り曲げ可能につながっている第１のガセット７４３と、第１のサイドパネル７３１及びフロントパネル７２７のそれぞれに折り曲げ可能につながっている第２のガセット７４５と、フロントパネル７２７及び第２のサイドパネル７３３のそれぞれに折り曲げ可能につながっている第３のガセット７４７と、第２のサイドパネル７３３及びバックパネル７２９のそれぞれに折り曲げ可能につながっている第４のガセット７４９とを有する。
【００３５】
第１のガセット７４３は、斜め折り線７５３においてバックパネル７２９に折り曲げ可能につながっている第１のガセットパネル７５１と、斜め折り線７５７において第１のガセットパネル７５１に折り曲げ可能につながっており、斜め折り線７５９において第１のサイドパネル７３１に折り曲げ可能につながっている第２のガセットパネル７５５とを有する。第２のガセット７４５は、斜め折り線７８３において第１のサイドパネル７３１に折り曲げ可能につながっている第３のガセットパネル７８１と、斜め折り線７８７において第３のガセットパネル７８１に折り曲げ可能につながっており、斜め折り線７８９においてフロントパネル７２７に折り曲げ可能につながっている第４のガセットパネル７８５とを有する。第３のガセット７４７は、斜め折り線７９３において第２のサイドパネル７３３に折り曲げ可能につながっている第５のガセットパネル７９１と、斜め折り線７９７において第５のガセットパネル７９１に折り曲げ可能につながっており、斜め折り線７９９においてフロントパネル７２７に折り曲げ可能につながっている第６のガセットパネル７９５とを含む。第４のガセット７４９は、斜め折り線８０３においてバックパネル７２９に折り曲げ可能につながっている第７のガセットパネル８０１と、斜め折り線８０７において第７のガセットパネル８０１に折り曲げ可能につながっており、斜め折り線８０９において第２のサイドパネル７３３に折り曲げ可能につながっている第８のガセットパネル８０５とを含む。
【００３６】
図示のように、トップパネル８１７は、縦折り線８１３においてバックパネル７２９に折り曲げ可能につながっており、トップパネル８１７に隣接する縦折り線８１９は、折り線８１３においてバックパネル８１３に折り曲げ可能につながっており、折り線８１９においてトップパネル８１７に折り曲げ可能につながっているヒンジパネル８１１を画定する。第１のトップ端部フラップ８２１は、横折り線８２３においてトップパネル８１７に折り曲げ可能につながっており、第２のトップ端部フラップ８２５は、横折り線８２７においてトップパネル８１７に折り曲げ可能につながっている。図１２をなおも参照すると、第３のトップ端部フラップ８２９（広義に、「第１のフロント端部フラップ」）は、縦折り線８３１においてトップパネル８１７に折り曲げ可能につながっており、第４のトップ端部フラップ８３３（広義に、「第２のフロント端部フラップ」）は、縦折り線８３５においてトップパネル８１７に折り曲げ可能につながっている。図示のように、第３のトップ端部フラップ８２９及び第４のトップ端部フラップ８３３は、トップパネル８１７のタブ８３７が間に突出した状態で離隔している。フロントパネル７２７の自由縁部に沿った凹部又は切欠き部８３９は、本明細書に更に記載されるように、タブ８３７の一部によって係合するか又はタブ８３７の一部を別様に受けるように構成される。
【００３７】
図１３を更に参照すると、パネル７２７、７２９、７３１、７３３をボトムパネル７２５に対して直立に折り曲げて、カートン７０５の内部７０７を部分的に形成することができる。１つの実施形態において、フロントパネル７２７は、折り線７３５において折り曲げられ、ボトムパネル７２５に対して概ね直立位置にされ、バックパネル７２９は、折り線７３７において折り曲げられ、ボトムパネル７２５に対して概ね直立位置にされ、それぞれの第１のサイドパネル７３１及び第２のサイドパネル７３３は、それぞれの折り線７３９、７４１において折り曲げられ、ボトムパネル７２５に対して概ね直立位置にされる。第２のガセットパネル７５５は、折り線７５７において折り曲げて、第１のガセットパネル７５１の内面と少なくとも部分的に対面接触させることができ、第１のガセットパネル７５１は、折り線７５３において折り曲げて、バックパネル７２９の外面と少なくとも部分的に対面接触させることができる。第１のガセット７４３のそのような構成において、折り線７５９における第２のガセットパネル７５５の相対的な折り曲げにより、第１のサイドパネル７３１をバックパネル７２９と概ね交わる関係にすることができる。
【００３８】
第３のガセットパネル７８１は、折り線７８７において折り曲げて、第４のガセットパネル７８５の内面と少なくとも部分的に対面接触させることができ、第４のガセットパネル７８５は、折り線７８９において折り曲げて、フロントパネル７２７の外面と少なくとも部分的に対面接触させることができる。第２のガセット７４５のそのような構成において、折り線７８３における第３のガセットパネル７８１の相対的な折り曲げにより、第１のサイドパネル７３１をフロントパネル７２７と概ね交わる関係にすることができる。
【００３９】
第５のガセットパネル７９１は、折り線７９７において折り曲げて、第６のガセットパネル７９５の内面と少なくとも部分的に対面接触させることができ、第６のガセットパネル７９５は、折り線７９９において折り曲げて、フロントパネル７２７の外面と少なくとも部分的に対面接触させることができる。第３のガセット７４７のそのような構成において、折り線７９３における第５のガセットパネル７９１の相対的な折り曲げにより、第２のサイドパネル７３３をフロントパネル７２７と概ね交わる関係にすることができる。
【００４０】
第８のガセットパネル８０５は、折り線８０７において折り曲げて、第７のガセットパネル８０１の内面と少なくとも部分的に対面接触させることができ、第７のガセットパネル８０１は、折り線８０３において折り曲げて、バックパネル７２９の外面と少なくとも部分的に対面接触させることができる。第４のガセット７４９のそのような配置において、折り線８０９における第８のガセットパネル８０５の相対的な折り曲げにより、第２のサイドパネル７３３をバックパネル７２９と概ね交わる関係にすることができる。ガセット７４３、７４５、７４７、７４９は、１つ以上の接着剤、例えば糊を用いて上述の構成に維持することができる。
【００４１】
図示のように、パネル７２５、７２７、７２９、７３１、７３３、８１７及びガセット７４３、７４５、７４７、７４９の上述の構成は、例えば、カートン７０５の内部７０７に１つ以上の物品を装填する及び／又はカートン７０５の内部７０７から１つ以上の物品を取り出すためにカートン７０５の内部７０７にアクセス可能である、カートン７０５の開放形態をもたらす。また図示のように、第１のガセット７４３、第１のサイドパネル７３１、第２のガセット７４５、フロントパネル７２７、第３のガセット７４７、第２のサイドパネル７３３、第４のガセット７４９、及びバックパネル７２９の配置は、接着面若しくは別様な連結面、開口、又は他の不連続部を実質的に有しない実質的に耐漏の底部レセプタクル７１１をもたらす。
【００４２】
例えば、時計回りの進行順で、バックパネル７２９、第１のガセットパネル７５１、第２のガセットパネル７５５、第１のサイドパネル７３１、第３のガセットパネル７８１、第４のガセットパネル７８５、フロントパネル７２７、第６のガセットパネル７９５、第５のガセットパネル７９１、第２のサイドパネル７３３、第８のガセットパネル８０５、及び第７のガセットパネル８０１（これらの全てはボトムパネル７２５に折り曲げ可能につながっている）は、それぞれの折り線７５３、７５７、７５９、７８３、７８７、７８９、７９９、７９７、７９３、８０９、８０７、８０３のみによって接合される実質的に連続した面をもたらし、それにより、パネル７２９、７５１、７５５、７３１、７８１、７８５、７２７、７９５、７９１、７３３、８０５、８０１は、ボトムパネル７２５とともに、底部レセプタクル７１１内に１つ以上の流体を維持し、そのような１つ以上の流体が底部レセプタクル７１１から周囲環境に通過することを阻止、最小化、及び／又は防止することができるようになっている。これに関して、底部レセプタクル７１１は、実質的に防漏又は耐漏の構成をもたらす。１つの実施形態において、ブランク７０３／カートン７０５には、１つ以上の流体に接触するのに好適であり、そのような１つ以上の流体が内部を通過することを阻止、最小化、及び／又は防止するように設けられる内側ライナー、例えばポリマー材料を設けることができる。そのような材料及び／又は性質は、フィルム、表面処理、又はコーティングとしてブランク７０３／カートン７０５に付与することもできる。
【００４３】
図１４、図１５、及び図１６を参照すると、カートン７０５は、トップパネル８１７が折り線８１９においてヒンジパネル８１１にヒンジ式に取り付けられ、トップパネル８１７がカートン７０５の内部７０７を閉鎖する閉鎖位置（図１６）と、トップパネル８１７が内部７０７に対するアクセスをもたらすように上昇する開放位置（図１４）との間で位置決め可能である、開放可能／再度閉鎖可能な構成で提供することができる。ヒンジパネル８１１は、折り線８１３において折り曲げて、バックパネル７２９の一部と少なくとも部分的に対面接触するように構成することができ、又はヒンジパネル８１１は、トップパネル８１７の関節運動可能な構成をもたらすように、バックパネル７２９から少なくとも部分的に分離することができる。
【００４４】
カートン５の図示の閉鎖形態では、トップパネル８１７は、端部フラップ８２１、８２５がそれぞれのサイドパネル７３１、７３３に隣接してカートン７０５の内部７０７に差し込まれた状態で、折り線８１９において下方に折り曲げることができる。そのような構成において、端部フラップ８２９、８３３は、それぞれの折り線８３１、８３３において少なくとも部分的に折り曲げて、フロントパネル７２７と少なくとも部分的に接触させ、例えば、トップパネル８１７とフロントパネル７２７との間でカートン７０５の底部レセプタクル７１１から１つ以上の流体が通過することを阻止、最小化、及び／又は防止することができる。図示のように、トップパネル８１７は、タブ８３７がフロントパネル７２７の切欠き部８３９に係合するか又は切欠き部８３９を少なくとも部分的に貫通し、切欠き部８３９の縁部の上に載るように配置される。これに関して、タブ８３７は、使用者がカートン７０５を開放及び再度閉鎖するために係合する突出面又は持ち手を呈する。１つの実施形態において、トップパネル８１７は、フロントパネル７２７、バックパネル７２９、及びサイドパネル７３１、７３３の直立上部に隣接して概ね平坦な関係で延在し、直立上部の全ては、トップパネル８１７を越えて上方に延在し、カートン７０５の窪んだ頂部７０９を画定する。
【００４５】
図示の実施形態では、フロントパネル７２７、バックパネル７２９、第１のサイドパネル７３１、及び第２のサイドパネル７３３は、カートン７０５のボトムパネル７２５に対して僅かに斜めに（すなわち、垂直でない）、ボトムパネル７２５から外方に角度を付けて配置される。ブランク７０３から形成されるカートン７０５において、フロントパネル７２７及びバックパネル７２９は、そのそれぞれの自由縁部によって画定される頂縁部をそれぞれ有し、それぞれの頂縁部は横方向長さＤ１３を有する。フロントパネル７２７及びバックパネル７２９は、それぞれの折り線７３５、７３７によって画定されるそれぞれの底縁部を有し、底縁部は、縦方向長さＤ１３よりも短い横方向長さＤ１４をそれぞれ有する。更に、第１のサイドパネル７３１及び第２のサイドパネル７３３は、そのそれぞれの自由縁部によって画定されるそれぞれの頂縁部をそれぞれ有し、それぞれの頂縁部は縦方向長さＤ１５を有する。サイドパネル７３１、７３３は、それぞれの折り線７３９、７４１によって形成されるそれぞれの底縁部を有し、それぞれの底縁部は、横方向長さＤ１５よりも短い縦方向長さＤ１６を有する。これに関して、フロントパネル７２７、バックパネル７２９、第１のサイドパネル７３１、及び第２のサイドパネル７３３の頂縁部によって形成される開口の寸法は、ボトムパネル７２５の寸法よりも大きい。
【００４６】
したがって、フロントパネル７２７、バックパネル７２９、第１のサイドパネル７３１、及び第２のサイドパネル７３３の配置は、トップパネル８１７がそれぞれの頂縁部によって画定される開口内に嵌まることができるように、フロントパネル７２７、バックパネル７２９、第１のサイドパネル７３１、及び第２のサイドパネル７３３のそれぞれの頂縁部が位置するように、ボトムパネル７２５に対して外方にテーパー又は角度が付けられている。フロントパネル７２７、バックパネル７２９、第１のサイドパネル７３１、及び第２のサイドパネル７３３のそのような角度位置と、それぞれの頂縁部によって形成されるより幅広の頂部開口とによって、トップパネル７８１が幅広の頂部開口内に収まり、フロントパネル７２７、バックパネル７２９、第１のサイドパネル７３１、及び第２のサイドパネル７３３のそれぞれの頂縁部よりも下に位置し、カートン７０５の窪んだ頂部７０９を形成することができる。更に、折り線７５３、７５９、７８３、７８９、７９３、７９９、８０３、８０９の斜め構成によって、フロントパネル７２７、バックパネル７２９、第１のサイドパネル７３１、及び第２のサイドパネル７３３の位置決めも容易になり、例えば、カートン７０５の積み重ね及び／又は入れ子を容易にする。この場合、１つ以上のカートン７０５が、その下のカートン７０５の内部空間に配置される。フロントパネル７２７、バックパネル７２９、第１のサイドパネル７３１、及び第２のサイドパネル７３３は、本開示の範囲から逸脱することなく、別様な配置にすることができる（例えば、図示されているよりも大きく又は小さくテーパー又は角度が付けられる）。
【００４７】
これに関して、図１６に示されているように、積重ね式カートン７０５のシステム７１３は、積重ね式カートン５のシステム１３（図４Ａ、図５、及び図６）、及び積重ね式カートン４０５及び５０５のシステム４１３（図１０）に関して上述したものと同様の様式で提供することができ、ここでは、積重ね式カートン５及び４０５、５０５に関して上述したように、一番上のカートン７０５（広義に、「第１のカートン」）よりも下の各カートン７０５は、縦方向に隣接するカートン７０５（広義に、「第２のカートン」、「第３のカートン」、以下同）の一部がそれぞれの窪んだ頂部７０９内に収まり、支持及び前後左右の安定性を与える。カートン７０５の開放形態において、例えば、トップパネル８１７がカートン７０５の他の部分に対して上昇している場合、縦方向に隣接するカートン７０５は、カートン７０５の内部７０７内に入れ子にすることができ、例えば、カートン７０５のスペースを低減し及び／又は積載を容易にすることが理解されよう。
【００４８】
３つの積重ね式カートン７０５のシステム４１３が示されているが、本開示から逸脱することなく、３つよりも多いカートン７０５又は３つよりも少ないカートン７０５を、この方法で積み重ねることができる。図１６の第３の実施形態では、積重ね式カートン７０５のシステム７１３は、一番下のカートンである第１のカートンと、第１のカートンの上に積み重ねられた第２のカートンと、第２のカートンの上に積み重ねられた第３のカートンとの積重ね形態で示されている３つのカートン７０５を備える。更に、図１６の実施形態では、積重ね式システム７１３の全てのカートン７０５は、同一のサイズ、形状、及び構成である。他の実施形態において、本開示から逸脱することなく、カートン７０５のシステム７１３は、３つよりも多い又は３つよりも少ないカートン７０５を備えることができ、及び／又は、積重ね式カートンの１つ以上は、異なるサイズ、形状、及び／又は構成とすることができる。更に、積重ね式カートン７０５のシステム７１３は、本明細書に記載の持ち手１１（図６）若しくは持ち手４１１（図１１）と同様若しくは同一の持ち手、又は任意の好適な持ち手によって保持することができる。更に、積重ね式カートン７０５のシステム７１３は、本開示から逸脱することなく、持ち手なしで保持することができる。
【００４９】
図示の種々の実施形態では、カートン５、４０５、５０５、７０５は、ボトムパネルによって形成される底部トレイと、トレイの内部空間を形成するように協働する、上方に折り曲げられたサイドパネル、フロントパネル、及びバックパネルと、トレイに折り曲げ可能につながっている蓋とを有するものとして特徴付けることができる。蓋は、トップパネルによって形成することができ、トレイにアクセスできる開放位置又は上昇位置と、トレイを閉鎖し、一連の積重ね式カートンにおける一番上のカートンに対する支持を与えるようにトップパネルを配置する閉鎖位置又は下降位置との間で可動である。カートン５、４０５、５０５、７０５は、本開示から逸脱することなく、他の特徴を有することができ、別様な形状、配置、及び／又は構成とすることができる。
【００５０】
本開示に係るブランクは、例えば、コーティングされた厚紙及び同様の材料から形成することができる。例えば、ブランクの内面及び／又は外面は、クレーコーティングでコーティングすることができる。続いて、クレーコーティング上に製品、広告、価格コード、及び他の情報又は画像を印刷してもよい。続いて、ブランクに印刷されている任意の情報を保護するように、ブランクをワニスでコーティングすることができる。ブランクは、ブランクの片面又は両面を、例えば防湿層でコーティングすることもできる。上述した実施形態によれば、ブランクは、普通紙よりも重く硬質であるような厚さを有する厚紙で構築することができる。ブランクは、ボール紙、硬化紙、又は、カートンを少なくとも概ね本明細書で上述したように機能させることを可能にするように適した特性を有する任意の他の材料等の他の材料で構築することもできる。ブランクは、選択されたパネル又はパネルセクションに１つ以上のシート状材料を積層又はコーティングすることもできる。
【００５１】
本開示の上記の実施形態によれば、折り線は、それに沿った折り曲げを容易にする、必ずしも直線状ではないが実質的に線状の任意の弱化形態とすることができる。本開示の範囲を狭めるためではないが、より詳細には、折り線は、所望の弱化線に沿って材料に圧潰部分を作る鈍いスコアリングナイフ等で形成される線等のスコア線、所望の弱化線に沿って材料に部分的に入れ込んだ切れ目、及び／又は所望の弱化線に沿って材料を部分的に貫通する一連の切れ目及び／又は材料を完全に貫通する一連の切れ目、並びにこれらの機能部の種々の組み合わせを含む。
【００５２】
一例として、引き裂き線は、所望の弱化線に沿って材料に部分的に入れ込んだスリット、及び／又は所望の弱化線に沿って材料に部分的に入れ込むか、及び／又は完全に貫通する一連の離間したスリット、又はこれらの機能部の種々の組み合わせを含むことができる。より具体的な例としては、１つのタイプの引き裂き線は、引き裂き線を挟んで材料を通常は一時的に連結するようニック（例えば、ブリッジにやや似た材料の小片）が間に画成されるように隣接するスリットを僅かに離間させた、材料を完全に貫通する一連の離間したスリットの形態である。ニックは、引き裂き時に引き裂き線に沿って破断される。ニックは通常、引き裂き線において比較的僅かな割合を占めるものであり、代替的に、引き裂き線が連続した切れ目線であるように、ニックを引き裂き線から省くことができるか、又は引き裂き線上で破っておくことができる。すなわち、引き裂き線のそれぞれを連続したスリット等で置き換えることは、本開示の範囲内にある。例えば、本開示から逸脱することなく、切れ目線は、連続したスリットとすることができるか、又はスリットよりも幅広とすることができる。
【００５３】
上記の実施形態は、カートンの実施形態の組み立て中、糊によって互いに接着される１つ以上のパネルを有するものとして説明することができる。「糊」という用語は、カートンパネルを適所に固定するのに一般的に用いられる全ての態様の接着剤を包含することが意図される。
【００５４】
本開示の前述の説明は、種々の例示的な実施形態を例示及び説明するものである。本開示の趣旨及び範囲から逸脱することなく、種々の追加、変更、変形等を例示的な実施形態に対して行うことができる。上記説明に含まれるか又は添付図面に示されている全ての事項が、限定的な意味ではなく例示として解釈されることが意図される。更に、本開示は、本開示の選択された実施形態のみを図示及び説明しているが、本開示は、種々の他の組み合わせ、変更形態、及び環境で用いることが可能であり、本明細書で述べられているような発明概念の範囲内の変形若しくは変更、上記教示と同等の変形若しくは変更、及び／又は関連技術分野の技術若しくは知識内にある変形若しくは変更を行うことが可能である。更に、各実施形態の或る特定の機能部及び特徴を、選択的に入れ替えて、本開示の他の説明された実施形態及び説明されていない実施形態に適用することができる。
【図１】
2021513942.tif 000003
【図２】
2021513942.tif 000004
【図３】
2021513942.tif 000005
【図４】
2021513942.tif 000006
【図４Ａ】
2021513942.tif 000007
【図５】
2021513942.tif 000008
【図６】
2021513942.tif 000009
【図７】
2021513942.tif 000010
【図８】
2021513942.tif 000011
【図９】
2021513942.tif 000012
【図１０】
2021513942.tif 000013
【図１１】
2021513942.tif 000014
【図１２】
2021513942.tif 000015
【図１３】
2021513942.tif 000016
【図１４】
2021513942.tif 000017
【図１５】
2021513942.tif 000018
【図１６】
2021513942.tif 000019
【国際調査報告】
2021513942.tif 000020
2021513942.tif 000021